(57)【要約】      （修正有）【課題】最小限度のアンテナ数でＣＮ比が高い無線通信を実現可能なマルチ無線システムを搭載した携帯情報端末装置を提供する。【解決手段】第１筐体部２０ａ、第２筐体部３０ａ、ヒンジ部４０を持つ携帯情報端末装置で、第１筐体部２０ａは、アンテナ２１と、複数の周波数帯対応のアクティブ回路２３ａ，２３ｂと、受信信号を周波数帯毎に分波して対応のアクティブ回路２３ａ，２３ｂに出力し、送信信号を合波する分波合波回路２２と、受信信号を合波するとともに、送信信号を周波数帯毎に分波して対応のアクティブ回路２３ａ，２３ｂに出力する分波合波回路２７とを有し、第２筐体部３０ａは、無線システム３２、３３と、分波合波回路２７により出力された受信信号を周波数帯毎に分波して対応する無線システムに出力するとともに、無線システム３２，３３からの送信信号を合波する分波合波回路３１とを有する。【選択図】図１
2008177667.tif 000002
【特許請求の範囲】
【請求項１】
第１筐体部と、第２筐体部と、前記第１筐体部及び前記第２筐体部を相対的に回動可能に結合する連結部とを具備する携帯情報端末装置であって、
前記第１筐体部はアンテナを収容し、前記アンテナで受信した受信信号を増幅する増幅器と、前記アンテナに送信する送信信号を伝達して出力する送信経路又は前記増幅器を介して受信信号を出力する受信経路のいずれかの信号経路を選択するスイッチと、を有し、複数の所定の周波数帯に対応して設けられた複数のアクティブ回路と、
前記受信信号を所定の周波数帯毎に分波して分波された受信信号を所定の周波数帯に対応する前記アクティブ回路に出力するとともに、前記複数のアクティブ回路の各々により出力された送信信号を合波して前記アンテナに出力する第１分波合波回路と、
前記複数のアクティブ回路の各々により出力された受信信号を合波して出力するとともに、前記送信信号を所定の周波数帯毎に分波して分波された送信信号を所定の周波数帯に対応する前記アクティブ回路に出力する第２分波合波回路とを有し、
前記第２筐体部は、前記複数の所定の周波数帯に対応して設けられ前記所定の周波数帯の搬送波を用いて信号の変調又は復調の少なくとも一方を行う複数の無線通信制御部と、
前記第２分波合波回路により出力された受信信号を所定の周波数帯毎に分波して分波された受信信号を所定の周波数帯に対応する前記無線通信制御部に出力するとともに、前記複数の無線通信制御部の各々により出力された送信信号を合波して出力する第３分波合波回路とを有することを特徴とする携帯情報端末装置。
【請求項２】
前記第２分波合波回路と前記第３分波合波回路とは、前記連結部を通過し且つ前記複数の所定の周波数帯の受信信号及び送信信号を伝達する同軸ケーブルにより電気的に接続されることを特徴とする請求項１記載の携帯情報端末装置。
【請求項３】
前記第２筐体部は、データを演算して画像データを生成する演算処理装置を備え、
前記第１筐体部は、前記第１筐体部の表面に前記演算処理装置により生成された前記画像データに基づく映像を表示する表示部を備えることを特徴とする請求項１又は請求項２記載の携帯情報端末装置。
【請求項４】
前記第２筐体部は、前記複数の無線通信制御部の各々による信号送信又は信号受信の有無に応じて前記スイッチを制御する制御信号を出力する制御部を備え、
前記スイッチは、前記制御部により出力された制御信号に基づいて前記送信経路又は前期受信経路のいずれかの信号経路を選択することを特徴とする請求項１乃至請求項３のいずれか１項記載の携帯情報端末装置。
【請求項５】
前記第２分波合波回路と前記第３分波合波回路とは、前記連結部を通過し且つ前記複数の所定の周波数帯の受信信号、送信信号、及び前記制御信号が、同一線路内を伝達するように接続されたことを特徴とする請求項４記載の携帯情報端末装置。
【発明の詳細な説明】
【技術分野】
【０００１】
本発明は、複数の無線信号の送受信を行う携帯情報端末装置に関する。
【背景技術】
【０００２】
近年、通信技術の急速な発展に伴い、ノート型電子計算機や携帯電話等の携帯情報機器に利用される無線システムが爆発的に普及している。このような無線システムの例として、複数のアンテナを使ってデータの送受信を行うローカルエリアネットワーク技術ＭＩＭＯ（Ｍｕｌｔｉｐｌｅ  Ｉｎｐｕｔ  Ｍｕｌｔｉｐｌｅ  Ｏｕｔｐｕｔ）をはじめ、機器間通信を担うＢｌｕｅｔｏｏｔｈ、２〜６６ＧＨｚまでの周波数帯域を使い１台のアンテナで半径約５０ｋｍの範囲をカバーするメトロポリタンエリアネットワーク技術ＩＥＥＥ８０２．１６／ＩＥＥＥ８０２．１６ａ／ＩＥＥＥ８０２．２０、１ＧＨｚ程度の極めて広いバンド幅を利用して送受信を行うＵＷＢ（Ｕｌｔｒａ  Ｗｉｄｅ  Ｂａｎｄ）等が挙げられる。
【０００３】
モバイル機器の例としてノートＰＣにマルチ無線システムを搭載する場合を想定すると、無線システム用のアンテナは、電波を感受しやすいディスプレイ部上部に配置される。ディスプレイ部にアンテナを、本体部に送受信回路を配置する構造にすると、アンテナと送受信回路とを結ぶ経路（主にケーブル）の距離が長くなる。長大化したケーブルはローパスフィルタ（ＬＰＦ）と等価であるため、携帯情報端末で有望視される無線デバイスが用いるギガヘルツ帯の高周波信号はケーブル内で減衰されやすくなる。すなわち、無線装置の本体部から見ると受信時のキャリア信号とノイズの比（Ｃ／Ｎ）が小さくなり、雑音指数、すなわちノイズフィギュア（ＮＦ）が劣化する。ここで、ノイズフィギュアとは、入力のＣ／Ｎと出力のＣ／Ｎの比を示すものである。
【０００４】
無線装置のＮＦ劣化を抑制する手段としては、従来から、アンテナ近くに受信線路と送信線路を設け、受信線路に増幅器を配置する技術（アクティブアンテナ）が採用されている（例えば特許文献１参照）。
【０００５】
図６は、特許文献１に記載された無線装置の概略構成を示すブロック図である。この無線装置は、アクティブアンテナ１と、送受信機本体２と、アクティブアンテナ１および送受信機本体２を接続する１本の信号線路３と、送信制御信号検出部６とを備えている。送信時には、アクティブアンテナ１と送受信機本体２とを接続する１本の信号線路３上の送信電力を利用して送信制御信号検出部６にてスイッチ１３，１４の制御電圧を生成する。また、受信時には、信号線路３上の信号に重畳された電圧によって、増幅器１２を動作させ、スイッチ１３、１４の受信時の制御を行う。これにより送受信とも、信号線路１本のみで送受信の切替え動作が可能となる。
【０００６】
このアクティブアンテナ１によれば、受信した信号が信号線路３通過によって減衰される前に増幅器１２により増幅されるので、信号線路３通過によって信号が減衰しても、Ｃ／Ｎの低減を抑制することができる。その結果として、無線装置のＮＦの劣化を防ぐことを可能とする。
【特許文献１】特開２００６−３３０７６号公報
【発明の開示】
【発明が解決しようとする課題】
【０００７】
しかしながら、上述したいくつかの無線システムは、それぞれが異なる利用目的と適応範囲を有するため、近年ではモバイル機器に複数の無線システムを搭載し、複数の無線システムを同時に使用すること（マルチ無線システム）が望まれている。
【０００８】
ノートＰＣにマルチ無線システムを搭載する場合を想定すると、アンテナは、受信感度の観点からディスプレイ部上部に配置されるべきである。ところが、実装スペースには限度があるため、複数の無線システムを活用するために各々のシステムに対して特化されたアンテナを個別に設置することは難しい。そのため、近年では、時分割デュプレクス（ＴＤＤ）方式を用いて、１つの広帯域アンテナを共用する技術が模索されている。これによれば、複数の無線システムからの信号を１つのケーブルで１つのアンテナに接続する。しかし時分割することによって異なる無線規格を切り替えて利用することは出来ても、同時に利用することは出来ない本質的な不便さが残る。
【０００９】
また、ある線路が他の線路に接続されているときに特性インピーダンスが不連続になっているような回路では、接続された部分での信号の反射が発生するため、ＣＮ比が著しく劣化する可能性が高い。
【００１０】
他方、個々の無線システムに特化されたアンテナを個別に実装し得たとしても、無線システムはノートＰＣ本体側に搭載され、アンテナはディスプレイ部の上部に搭載されるので、これらを連結するケーブルは、ノートＰＣ本体側とノートＰＣディスプレイ側とを折畳み可能に連結するヒンジ部を通過する。ヒンジ部は狭いので実装スペースが小さい。ヒンジ部を通すケーブルは、なるべく細く少なくし、ノートＰＣ本体側で何本かにまとめてから、ヒンジ部を通す必要がある。したがって、ケーブルを個々に配線すると、配線スペースが大きくなり、ヒンジの動きに制限を与え、設計の自由度が下がる。
【００１１】
携帯電話向けにおいても個別に成立した互換性のない無線ソリューションが乱立しており、生活の利便性を高めるためにこれらを同時に搭載することが求められている。携帯電話のように実装に供すことが出来る領域が小さく、ノートＰＣと同様にヒンジで表示部と本体部とが連結されるような躯体では、同様な問題が生じている。
【００１２】
本発明は上述した従来技術の問題点を解決するもので、最小限度のアンテナ数でＣＮ比が高い無線通信を実現可能なマルチ無線システムを搭載した携帯情報端末装置を提供することを課題とする。
【課題を解決するための手段】
【００１３】
上記課題を解決するために、本発明に係る携帯情報端末装置は、第１筐体部と、第２筐体部と、前記第１筐体部及び前記第２筐体部を相対的に回動可能に結合する連結部とを具備する携帯情報端末装置であって、前記第１筐体部はアンテナを収容し、前記アンテナで受信した受信信号を増幅する増幅器と、前記アンテナに送信する送信信号を伝達して出力する送信経路又は前記増幅器を介して受信信号を出力する受信経路のいずれかの信号経路を選択するスイッチと、を有し、複数の所定の周波数帯に対応して設けられた複数のアクティブ回路と、前記受信信号を所定の周波数帯毎に分波して分波された受信信号を所定の周波数帯に対応する前記アクティブ回路に出力するとともに、前記複数のアクティブ回路の各々により出力された送信信号を合波して前記アンテナに出力する第１分波合波回路と、前記複数のアクティブ回路の各々により出力された受信信号を合波して出力するとともに、前記送信信号を所定の周波数帯毎に分波して分波された送信信号を所定の周波数帯に対応する前記アクティブ回路に出力する第２分波合波回路とを有し、前記第２筐体部は、前記複数の所定の周波数帯に対応して設けられ前記所定の周波数帯の搬送波を用いて信号の変調又は復調の少なくとも一方を行う複数の無線通信制御部と、前記第２分波合波回路により出力された受信信号を所定の周波数帯毎に分波して分波された受信信号を所定の周波数帯に対応する前記無線通信制御部に出力するとともに、前記複数の無線通信制御部の各々により出力された送信信号を合波して出力する第３分波合波回路とを有することを特徴とする。
【発明の効果】
【００１４】
本発明によれば、可搬性を有する程度に小型の情報端末においてＣＮ比が高い無線通信を実現可能なマルチ無線システムを搭載することができる。
【発明を実施するための最良の形態】
【００１５】
以下、本発明の携帯情報端末装置の実施の形態を、図面に基づいて詳細に説明する。
【実施例１】
【００１６】
図１は、本発明の実施例１に係る携帯情報端末装置の構成を示すブロック図である。この携帯情報端末装置は、アンテナ装置２０ａ、送受信機本体３０ａ、及びケーブル５０で構成され、アンテナ装置２０ａと送受信機本体３０ａとが連結部となる蝶番状のヒンジ部４０により相対的に回動可能に結合している。
【００１７】
アンテナ装置２０ａは、本発明の第１筐体部に対応し、アンテナ２１と、分波合波回路２２と、アクティブ回路２３ａと、アクティブ回路２３ｂと、分波合波回路２７とにより構成されている。
【００１８】
本実施例において、アンテナ２１は、２．４ＧＨｚ〜４．８ＧＨｚの周波数帯の信号を送受信できる広帯域アンテナである。
【００１９】
アクティブ回路２３ａは、アンテナ２１で受信した受信信号を増幅する増幅器２６ａとアンテナ２１に送信する送信信号を伝達して出力する送信経路又は増幅器２６ａを介して受信信号を出力する受信経路のいずれかの信号経路を選択するスイッチ２４ａ，２５ａとを有し、所定の周波数帯に対応して設けられている。本実施例において、アクティブ回路２３ａは、２．４ＧＨｚ〜２．５ＧＨｚの周波数帯に対応して設けられている。
【００２０】
また、アクティブ回路２３ｂは、アクティブ回路２３ａと同様に、増幅器２６ｂとスイッチ２４ｂ，２５ｂとを有している。さらに本実施例において、アクティブ回路２３ｂは、３．１ＧＨｚ〜４．８ＧＨｚの周波数帯に対応して設けられている。
【００２１】
なお、スイッチ２４ａ，２５ａ及びスイッチ２４ｂ，２５ｂは、外部から手動により制御されるものでもよく、従来技術として図６で説明した送信制御信号検出部６により制御されるものでもよく、実施例２にて後述する制御部３４により制御されるものでもよい。また、スイッチ２４ａとスイッチ２５ａとは、常に連動して送信経路か受信経路を選択するように動作する。スイッチ２４ｂとスイッチ２５ｂに関しても同様である。
【００２２】
分波合波回路２２は、本発明の第１分波合波回路に対応し、受信信号を所定の周波数帯毎に分波して、分波された受信信号を所定の周波数帯に対応するアクティブ回路２３ａ又は２３ｂに出力するとともに、アクティブ回路２３ａ及び２３ｂの各々により出力された送信信号を合波してアンテナ２１に出力する。
【００２３】
分波合波回路２７は、本発明の第２分波合波回路に対応し、アクティブ回路２３ａ及び２３ｂの各々により出力された受信信号を合波して出力するとともに、送信信号を所定の周波数帯毎に分波して、分波された送信信号を所定の周波数帯に対応するアクティブ回路２３ａ又は２３ｂに出力する。
【００２４】
送受信機本体３０ａは、本発明の第２筐体部に対応し、無線システム３２と、無線システム３３と、分波合波回路３１とで構成されている。
【００２５】
無線システム３２及び無線システム３３は、本発明の無線通信制御部に対応し、複数の所定の周波数帯に対応して設けられ、所定の周波数帯の搬送波を用いて信号の変調又は復調の少なくとも一方を行う。
【００２６】
本実施例において、無線システム３２は、２．４ＧＨｚ〜２．５ＧＨｚの周波数帯域を利用して信号を送受信する。また、無線システム３３は、３．１ＧＨｚ〜４．８ＧＨｚの周波数帯域を利用して信号を送受信する。
【００２７】
分波合波回路３１は、本発明の第３分波合波回路に対応し、分波合波回路２７により出力された受信信号を所定の周波数帯毎に分波して、分波された受信信号を所定の周波数帯に対応する無線システム３２又は３３に出力するとともに、無線システム３２及び３３の各々により出力された送信信号を合波して出力する。
【００２８】
図２は、分波合波回路２２の詳細な構成を示す図である。分波合波回路２２は、ＬＰＦ（Ｌｏｗ  Ｐａｓｓ  Ｆｉｌｔｅｒ）２８ａ及びＨＰＦ（Ｈｉｇｈ  Ｐａｓｓ  Ｆｉｌｔｅｒ）２８ｂにより構成されている。ＬＰＦ２８ａ及びＨＰＦ２８ｂの一端は、アンテナ２１に接続されている。また、ＬＰＦ２８ａの他端は、アクティブ回路２３ａに接続され、ＨＰＦ２８ｂの他端は、アクティブ回路２３ｂに接続されている。ＬＰＦ２８ａは、遮断周波数以下の周波数の信号を伝送し、遮断周波数以上の周波数の信号を減衰するフィルタである。本実施例において、ＬＰＦ２８ａの遮断周波数は、２．５ＧＨｚである。したがって、ＬＰＦ２８ａは、無線システム３２に対する信号のみを伝送し、無線システム３３に対する信号を伝送しない。
【００２９】
一方、ＨＰＦ２８ｂは、遮断周波数以上の周波数の信号を伝送し、遮断周波数以下の周波数の信号を減衰するフィルタである。本実施例において、ＨＰＦ２８ｂの遮断周波数は、３．１ＧＨｚである。したがって、ＨＰＦ２８ｂは、無線システム３３に対する信号のみを伝送し、無線システム３２に対する信号を伝送しない。ＬＰＦ２８ａ及びＨＰＦ２８ｂを利用することにより、アンテナ２１から複数の受信信号が同時に分波合波回路２２に入力された場合に、無線システム３２に対する受信信号と無線システム３３に対する受信信号とを分波し、各無線システムへ受信信号を伝送することができる。
【００３０】
なお、分波合波回路は、必ずしもＬＰＦとＨＰＦとにより構成されるとは限らない。図３は、１例として分波合波回路２２ａの構成を示すブロック図である。分波合波回路２２ａは、ＢＰＦ（Ｂａｎｄ  Ｐａｓｓ  Ｆｉｌｔｅｒ）２９ａ、ＢＰＦ２９ｂ、及びＢＰＦ２９ｃにより構成されている。ＢＰＦ２９ａ、ＢＰＦ２９ｂ、及びＢＰＦ２９ｃの一端は、アンテナ２１に接続されており、他端は、それぞれ異なるアクティブ回路に接続されている。したがって、この場合アクティブ回路は３つ必要である。ＢＰＦは、ある周波数帯の信号のみを通過させ，それ以外の周波数帯の信号を減衰させるフィルタである。ここで、例えばＢＰＦ２９ａは、１．５ＧＨｚ〜１．８ＧＨｚの周波数帯を通過させるフィルタであり、ＢＰＦ２９ｂは、２．５ＧＨｚ〜３ＧＨｚの周波数帯を通過させるフィルタであり、ＢＰＦ２９ｃは、３．２ＧＨｚ〜３．４ＧＨｚの周波数帯を通過させるフィルタであるとすると、それぞれの周波数帯を利用する３つの無線システムを同時に使用することができる。したがって、この場合には第２筐体部にそれぞれの周波数帯に対応する３つの無線システムを設けることができる。なお、分波合波回路に入力された信号は、その信号が有する周波数に対応した経路のみを伝達するため、分配器と異なりほとんど損失を生じない。
【００３１】
分波合波回路２７及び分波合波回路３１は、分波合波回路２２と同様に、ＬＰＦとＨＰＦにより構成されている。ただし、分波合波回路２７のＬＰＦ及びＨＰＦの一端は、ケーブル５０に接続され、他端は、それぞれアクティブ回路２３ａ及び２３ｂに接続されている。また、分波合波回路３１のＬＰＦ及びＨＰＦの一端は、ケーブル５０に接続され、他端は、それぞれ無線システム３２及び３３に接続されている。したがって、分波合波回路３１は、ケーブル５０から複数の信号が同時に入力された場合でも、無線システム３２に対する信号と無線システム３３に対する信号とを分波し、各無線システムに信号を出力する。
【００３２】
ケーブル５０は、分波合波回路２７と分波合波回路３１とをヒンジ部４０内部を通過して電気的に接続し、且つ複数の所定の周波数帯の受信信号及び送信信号を伝達する同軸ケーブルである。
【００３３】
図４は、本実施例における携帯情報端末装置をノートパソコン６０に適用した場合の構成を示す図である。ノートパソコン６０は、ディスプレイ部６２、ヒンジ部６３、及び本体部６４で構成されている。
【００３４】
本実施例において、ディスプレイ部６２は、本発明の第１筐体部に対応し、図１におけるアンテナ装置２０ａに対応する。また、本体部６４は、本発明の第２筐体部に対応し、図１における送受信機本体３０ａに対応する。
【００３５】
このノートパソコン６０は、一般に市販されているものである。したがって、本体部６４は、データを演算して画像データを生成する演算処理装置（ＣＰＵ）を備える。また、ディスプレイ部６２は、ディスプレイ部６２の表面に演算処理装置により生成された画像データの基づく映像を表示する表示部を備える。また、ディスプレイ部６２と本体部６４とは、ヒンジ部６３により回動可能に結合されている。
【００３６】
このような一般的なノートパソコン６０において、図１におけるアンテナ２１は、通常、感度の良いディスプレイ上部６１に設けられる。また、無線システム３２及び無線システム３３は、本体部６４の内部に設けられる。したがって、ケーブル５０は、ヒンジ部６３内部を通して設けざるを得ない。ディスプレイ上部６１は、実装スペースが狭く、また複数のアンテナを設けると干渉といった問題が発生するため、１つの広帯域アンテナであるアンテナ２１が設けられ、異なる周波数帯を用いる複数の無線システムが共用される。
【００３７】
各無線システム（本実施例においては、無線システム３２及び無線システム３３）は、それぞれ独立して動作するため、無線システム３２において受信を行っている時に無線システム３３において送信を行っている場合や、その逆の場合もあり得る。したがって、送信経路と受信経路とを制御するアクティブ回路は、無線システムの数だけ必要である。また、ディスプレイ上部６１に設けられたアンテナ２１で受信された受信信号は、ケーブル５０を介して分波合波回路３１に入力されるまでの間に減衰してしまうので、受信信号を増幅するアクティブ回路２３ａ及び２３ｂはアンテナ２１と同じ第１筐体部（本実施例においてはディスプレイ部６２）内に設けられる必要がある。さらに、ヒンジ部６３内を通すケーブル５０は、細く少なくする必要がある。本実施例においては、同一の信号経路、すなわちケーブル５０で受信信号を伝送するために、受信信号は、分波合波回路２７により合波され、分波合波回路３１で再び分波されてそれぞれの周波数帯に応じた無線システムに出力される。送信信号は、受信信号の場合と逆に伝送される。
【００３８】
以上のような事情を鑑み、アンテナ２１が設けられたディスプレイ部６２は、分波合波回路２２，２７、及びアクティブ回路２３ａ，２３ｂを備え、本体部６４は、分波合波回路３１、無線システム３２，３３を備えた構成となる。
【００３９】
なお、分波合波回路３１に接続される無線システムの数が増えた場合には、各分波合波回路の構成は同じであるが、分波合波回路２２と分波合波回路２７との間に設けられるアクティブ回路が、無線システムの数と同じだけ並列に接続される。また、ここでは本発明をノートパソコン６０に適用した場合について説明したが、折り畳み式の携帯電話にも同様に適用できる。
【００４０】
次に、上述のように構成された本実施の形態の作用を説明する。ここでは、信号の周波数が２．４ＧＨｚである場合について説明する。
【００４１】
受信する場合、アンテナ２１は、受信信号を受信して分波合波回路２２に出力する。分波合波回路２２内に設けられたＨＰＦ２８ｂは、遮断周波数が３．１ＧＨｚであるため、２．４ＧＨｚの周波数を有する受信信号を伝達しない。一方ＬＰＦ２８ａは、遮断周波数が２．５ＧＨｚであるため、２．４ＧＨｚの周波数を有する受信信号を伝達し、アクティブ回路２３ａに出力する。
【００４２】
アクティブ回路２３ａ内のスイッチ２４ａ，２５ａは、増幅器２６ａを介して受信信号を出力する受信経路を選択して接続する。増幅器２６ａは、入力された受信信号を増幅する。増幅された受信信号は、分波合波回路２７に入力され、分波合波回路２７内のＬＰＦを介してケーブル５０に出力される。
【００４３】
受信信号は、ケーブル５０を介して送受信機本体３０ａ内の分波合波回路３１に出力される。分波合波回路３１は、分波合波回路２２及び２７と構成が同じであるため、同様の動作を行う。したがって、受信信号は、分波合波回路３１内に設けられたＬＰＦを伝達し、無線システム３２に出力される。
【００４４】
送信する場合、無線システム３２から出力された送信信号は、分波合波回路３１に入力され、分波合波回路３１内のＬＰＦを通ってケーブル５０に出力される。
【００４５】
送信信号は、ケーブル５０を介してアンテナ装置２０ａ内の分波合波回路２７に出力される。分波合波回路２７は、上述した他の分波合波回路と同様の動作を行う。したがって、送信信号は、分波合波回路２７内のＬＰＦを伝達して、アクティブ回路２３ａに出力される。この際、分波合波回路２７内のＨＰＦは、送信信号を伝達しない。
【００４６】
アクティブ回路２３ａ内のスイッチ２４ａ，２５ａは、増幅器２６ａを介さずに送信信号を伝達して出力する送信経路を選択して接続する。送信信号は、アクティブ回路２３ａを介して分波合波回路２２に入力され、分波合波回路２２内のＬＰＦ２８ａを介してアンテナ２１に出力される。
【００４７】
なお、本実施例において、アクティブ回路２３ａは、受信経路上にのみ増幅器２６ａを有しているが、送信経路上にも増幅器を設けてもよい。この場合、信号を送信するときも出力が増幅されるので、無線システム３２の出力を抑えることができる。また、アクティブ回路２３ｂも同様である。
【００４８】
ここでは、受信信号及び送信信号の周波数が共に２．４ＧＨｚ（低周波）である場合を説明したが、信号が３．１ＧＨｚ以上のような高周波の場合も同様の動作を行う。ただし、高周波の信号は、各分波合波回路のＨＰＦ側を通る。
【００４９】
また上述したように、低周波数の信号の送受信及び高周波数の信号の送受信は、それぞれ独立して行われ、同時に行うことも可能である。したがって、例えば、無線システム３２が低周波数の信号を受信しているときでも、無線システム３３は、高周波数の信号の送受信を自由に行うことができる。
【００５０】
なお、本実施例において、低周波数帯域と高周波数帯域との信号をそれぞれ送受信する無線通信システム３２及び３３を備える場合について説明したが、これに限るものではなく、図３で説明したようにＢＰＦを複数備えた分波合波回路や、ＬＰＦ、ＨＰＦ、及びＢＰＦを複数組み合わせた分波合波回路を用いて、用途に応じてＷｉＭＡＸ、ＵＷＢ、ＭＢＷＡ等を利用する無線システムであってもよい。
【００５１】
上述のとおり、本発明の実施例１の形態に係る携帯情報端末装置によれば、アクティブ回路２３ａ，２３ｂ内に設けられた増幅器２６ａ，２６ｂにより、受信時のＣ／Ｎの低減を減らすことができ、受信感度が良くなる。また、分波合波回路２２が受信信号を所定の周波数帯毎に分波するので、各周波数帯に対応した複数のアクティブ回路を設け、複数の無線システムを同時に使用することができる。さらに、アンテナ装置２０ａ側に分波合波回路２７を設け、送受信機本体３０ａ側に分波合波回路３１を設けることにより、ヒンジ部４０を通過するケーブルは、１本のケーブル５０で済むので、ヒンジ部４０の回動による影響を低減することができる。
【００５２】
なお、広帯域アンテナであるアンテナ２１の送受信可能な周波数を２．４ＧＨｚ〜４．８ＧＨｚとしたが、これに限るものではなく、複数の無線システムに対応した周波数の信号を送受信できるアンテナであればよい。広帯域アンテナの例としては、２．４ＧＨｚ〜４．８ＧＨｚの信号を全て送受信できるブロードバンドアンテナ、又は、無線システムで使用される２．４ＧＨｚ〜２．５ＧＨｚ及び３．１ＧＨｚ〜４．８ＧＨｚの周波数帯域の信号のみを送受信することができるマルチバンドアンテナが挙げられる。
【実施例２】
【００５３】
図５は、本発明の実施例２に係る携帯情報端末装置の構成を示す図である。実施例１の構成と異なる点は、本実施例における携帯情報端末装置は、送受信機本体３０ｂに制御部３４を備えている点である。
【００５４】
制御部３４は、無線システム３２及び無線システム３３に接続されるとともに、インダクタンスＬ１を介してケーブル５０に接続されている。この制御部３４は、無線システム３２及び無線システム３３の各々による信号送信又は信号受信の有無に応じて、アクティブ回路２３ａ内のスイッチ２４ａ，２５ａ、及びアクティブ回路２３ｂ内のスイッチ２４ｂ，２５ｂを制御する制御信号を出力する。
【００５５】
また、スイッチ２４ａ，２５ａ、及びスイッチ２４ｂ，２５ｂは、インダクタンスＬ２を介してケーブル５０に接続され、制御部３４により出力された制御信号に基づいて送信経路又は受信経路のいずれかの信号経路を選択する。
【００５６】
また、図５に示すように、ケーブル５０は、分波合波回路３１との接続部分にキャパシタＣ３を設け、分波合波回路２７との接続部分にキャパシタＣ４を設けている。これらのキャパシタは、実施例１においても、低周波のノイズ成分を遮断するために設けてもよいが、本実施例においては、直流の制御信号を遮断するために設けられている。また、インダクタンスＬ１，Ｌ２は、交流成分を各スイッチや制御部３４に伝えないためである。
【００５７】
すなわち本実施例において、ケーブル５０は、分波合波回路２７と分波合波回路３１とをヒンジ部４０内部を通過して接続し、且つ複数の所定の周波数帯の受信信号、送信信号、及び制御信号が同一線路内を伝達するように接続された同軸ケーブルである。
【００５８】
次に、上述のように構成された本実施の形態の作用を説明する。まず制御部３４は、無線システム３２及び無線システム３４の動作を監視し、送信、受信のいずれを行うかを決定する。または、各無線システムがいずれを行うかを決定して情報を制御部３４に出力してもよい。
【００５９】
次に制御部３４は、決定した送受信動作に応じて、制御信号を出力する。本実施例においては、無線システムが２つ存在するため、動作は４パターン存在する。１つ目のパターンは、無線システム３２と無線システム３３とがいずれも受信を行う。２つ目のパターンは、無線システム３２と無線システム３３とがいずれも送信を行う。３つ目のパターンは、無線システム３２が受信を行い、無線システム３３が送信を行う。４つ目のパターンは、無線システム３２が送信を行い、無線システム３３が受信を行う。したがって、制御部３４は、４種類の制御信号を出力すればよい。ちなみに無線システムが３つ存在する場合には、動作のパターンは８種類となるため、８種類の制御信号が必要である。
【００６０】
制御信号は、オンオフのパターンによって４種類設定されているとしてもよいが、本実施例においては、電圧の閾値によって設定されているとする。例えば、制御信号が−５Ｖ未満の場合は、１つ目のパターンを指し、−５Ｖ以上−２Ｖ未満の場合は、２つ目のパターンを指し、−２Ｖ以上２Ｖ未満の場合は、３つ目のパターンを指し、２Ｖ以上の場合は、４つ目のパターンを指すとする。例えば、無線システム３２と無線システム３３とがいずれも送信を行う場合には、２つ目のパターンであるため、制御部３４は、−５Ｖ以上−２Ｖ未満（例えば−３Ｖ）の制御信号を出力する。無線システム３２が送信を行い、無線システム３３が受信を行う場合には、４つ目のパターンであるため、制御部３４は、２Ｖ以上（例えば３Ｖ）の制御信号を出力する。
【００６１】
出力された制御信号は、インダクタンスＬ１、ケーブル５０、及びインダクタンスＬ２を介して各スイッチを制御する。例えば、２つ目のパターンである−３Ｖの制御信号が出力された場合には、スイッチ２４ａ，２５ａ及びスイッチ２４ｂ，２５ｂは、いずれも送信経路を選択する。４つ目のパターンである３Ｖの制御信号が出力された場合には、スイッチ２４ａ，２５ａは、送信経路を選択し、スイッチ２４ｂ，２５ｂは、受信経路を選択する。
【００６２】
その他の動作は、実施例１と同じであるため、重複した説明を省略する。
【００６３】
上述のとおり、本発明の実施例２の形態に係る携帯情報端末装置によれば、実施例１の効果に加え、無線システム３２と無線システム３３とによるそれぞれ独立した送受信動作に応じて、迅速かつ的確にアクティブ回路２３ａ，２３ｂ内のスイッチ２４ａ，２５ａ及びスイッチ２４ｂ，２５ｂを制御することができる。
【００６４】
また、送信信号、受信信号を伝達させるケーブル５０を用いて制御信号も伝達させるので、ヒンジ部４０にかける負担を少なくできる。
【産業上の利用可能性】
【００６５】
本発明は、アンテナを収容した第１筐体部と第２筐体部とがヒンジ部により回動可能に結合したノート型計算機や携帯電話等の携帯情報端末装置に適用可能である。
【図面の簡単な説明】
【００６６】
【図１】本発明の実施例１の形態の携帯情報端末装置の構成を示すブロック図である。
【図２】本発明の実施例１の形態の携帯情報端末装置の分波合波回路の詳細な構成を示す図である。
【図３】携帯情報端末装置の分波合波回路の構成の１例を示す図である。
【図４】一般的なノートパソコンの構成を示す図である。
【図５】本発明の実施例２の形態の携帯情報端末装置の構成を示すブロック図である。
【図６】従来の無線装置の概略構成を示すブロック図である。
【符号の説明】
【００６７】
Ｃ１，Ｃ２，Ｃ３，Ｃ４…キャパシタ、Ｌ１，Ｌ２…インダクタンス、１…アクティブアンテナ、２…送受信機本体、３…信号線路、６…送信制御信号検出部、１１…アンテナ、１２…低雑音増幅器、１３，１４…スイッチ、１５…アナログ部、１６…デジタル部、２０ａ，２０ｂ…アンテナ装置、２１…アンテナ、２２，２２ａ…分波合波回路、２３ａ，２３ｂ…アクティブ回路、２４ａ，２４ｂ，２５ａ，２５ｂ…スイッチ、２６ａ，２６ｂ…増幅器、２７…分波合波回路、２８ａ…ＬＰＦ、２８ｂ…ＨＰＦ、２９ａ，２９ｂ，２９ｃ…ＢＰＦ、３０ａ，３０ｂ…送受信機本体、３１…分波合波回路、３２，３３…無線システム、３４…制御部、４０…ヒンジ部、５０…ケーブル、６０…ノートパソコン、６１…ディスプレイ上部、６２…ディスプレイ部、６３…ヒンジ部、６４…本体部。
【図１】
2008177667.tif 000003
【図２】
2008177667.tif 000004
【図３】
2008177667.tif 000005
【図４】
2008177667.tif 000006
【図５】
2008177667.tif 000007
【図６】
2008177667.tif 000008